Podtech/llm-jp-corpus-v4-ja_patent huggingface dataset:
(57)【要約】【課題】従来のパイプカーテンは、収納時にスムーズに動かず、摺動が重く困難になる上、収納スペースが多く取られるという問題があった。これは、パイプの上下のたわみや左右のずれが生じることによるためである。【解決手段】パイプを繋ぐフレームのジョイントの中心をずらし、パネルを組み込めるようにストッパーを付け、樹脂パネルを設けて構成した。また、ガイドレールの片側に案内板を設け、収納時、本体パネル振れ止め防止ローラーを案内板に当てるよう形成した。これにより、折り畳み一定方向の動作が、軽く楽にできるようになり、パネルを使用することにより薄型で、収納スペースも少なくて済むことができる。【選択図】図１
2005030180.tif 000002
【特許請求の範囲】
【請求項１】
パイプを繋ぐフレームと樹脂パネルを薄型に組み込めるように形成し、位置変化構造を設け、折り畳み収納スペースを小さくしたパイプカーテン。
【請求項２】
ガイドレールの片側に案内板を一体化させ、本体の収納を一定方向に折り畳むことができるパイプカーテン。
【発明の詳細な説明】
【技術分野】
【０００１】  本発明は、収納動作の効率化、収納スペース減少を図ったパイプカーテンに関する。
【背景技術】
【０００２】  従来のパイプカーテンには、上部ガイドレールの上下２段の第２支柱と第１支柱間にフリーのパイプ支柱を間装し、各支柱を連結するジョイントバーにフリーのパイプ支柱を直行状に取付け、第１支柱と第２支柱を枢軸としてシャッターを折畳むようにした横引シャッター装置がある。
【特許文献１】    特願平０９−０１７６４５
特開平１０−１９６２４５
【発明の開示】
【発明が解決しようとする課題】
【０００３】  以上に述べた従来のパイプシャッターでは、パイプの上下のたわみや左右のずれが生じるため収納時にスムーズに動かず、重く困難になる上、収納スペースが多く取られるという問題があった。【０００４】  本発明は、このような従来の構成が有していた問題を解決しようとするものであり、収納時の煩わしさを解消し、店舗スペースを確保する薄型のパイプカーテンを実現することを目的とする。
【課題を解決するための手段】
【０００５】  本発明は、上記目的を達成するためにパイプを繋ぐフレームに、樹脂パネルを組み込めるようにストッパーを設け、片面だけに樹脂パネルを挟み込んだものである。【０００６】  また、第２の課題解決手段は、折り畳み収納スペースをより小さくするため、フレームと樹脂パネルを薄く軽量にし、ジョイントに中心位置変化構造を設けたものである。【０００７】  第３の課題解決手段として、ガイドレールの片側に案内板を一体化させ、折り畳みの際のふれ止め防止ローラーの案内板を設けたものである。
【発明の効果】
【０００８】  上述したように本発明のサイドパイプカーテンは、パイプの上下のたわみや左右のずれを抑えることができ、収納動作が一定方向にスムーズに行える。【０００９】  また、パイプカーテンの折り畳み収納スペースが、より小さくなる効果を発揮するものである。【００１０】  さらに、樹脂パネルを組み込むことによって、たばこの投げ入れ防止等、防火対策効果が得られる。
【発明の実施するための最良の形態】
【００１１】  以下、本発明の実施の形態を図１〜図３に基づいて説明する。
【００１２】  図においては、１はパイプ１０、１１、１２を繋ぐフレームで、樹脂パネル２が組み込まれている。７のガイドレールにはパイプ１１上方の滑車８が通る。パイプ１０上部の振れ止め防止ローラー９が案内板１３に当たる。
【００１３】  フレーム１は図２のような形状で、樹脂パネル２を組み込むストッパー３が片面にのみ設けれている。パイプ１０、１１，１２を通すジョイントは、４、５が芯上に６は芯下にそれぞれ中心からずれて形成されている。
【００１４】  以下、上記構成の動作を説明する。サイドパイプカーテン１４を押して折り畳む際、ガイドレール７を滑車８が通り、パネルが山へ谷へと折れていく。振れ止め防止ローラー９が案内板１３に当たるため、一定方向に折り畳むことができる。
【図面の簡単な説明】
【００１５】
【図１】  本発明の実施形態を示すサイドパイプカーテンの側面図
【図２】  同フレームのＡ−Ａ線断面図
【図３】  同サイドパイプカーテンのＢ−Ｂ線断面図
【符号の説明】
【００１６】  １  フレーム
２  樹脂パネル
７  ガイドレール
９  振れ止め防止ローラー
１３  案内板
１４  サイドパイプカーテン
【図１】
2005030180.tif 000003
【図２】
2005030180.tif 000004
【図３】
2005030180.tif 000005
(57)【要約】【課題】鉄筋に対するピッチ割のマーキングを安全且つ効率的に行なう。【解決手段】建築現場で取り付けようとする鉄筋に対するピッチ割のマーキングを予め加工場で行なう。このマーキングを行なうに際して取り付ける鉄筋のピッチと同じピッチのスリッドをを有する薄肉鋼板製の治具を介して複数の鉄筋にカラースプレーを噴霧する。【選択図】    図１
2005030172.tif 000002
【特許請求の範囲】
【請求項１】
鉄筋に所定のピッチでマーキングするための所定のピッチにスリッドを切った断面がコの字形を成す薄肉鉄板製の治具。
【発明の詳細な説明】
【発明の詳細な説明】
【技術分野】
【０００１】  本発明は、鉄筋コンクリート造の建築物の鉄筋の構築に関する。鉄筋の取り付け作業は一般に所定のピッチで交差する鉄筋と鉄筋を結束することで行なわれる。このピッチを正確に守って結束すること即ち正確な配筋は、構造計算上極めて重要な地位を占めている。
【背景技術】
【０００２】  上述のごとく正確なピッチで鉄筋を取り付ける必要がありそのための方法として、取り付けが終了した一方の鉄筋にこれに交差する他方の鉄筋の所定の取り付け位置をスケールを使ってマジックペンや石筆でマーキングしている。或いは所定の取り付け位置に水糸を張りこれに合わせて他方の鉄筋を結束取り付けている。
しかしながら何れの方法も高所にして足場の悪い現場でのマーキングや糸張り作業となっている。また雨天などの悪天候の際は、雨で折角のマーキングが消えたり水糸が染みた雨水の重さで弛んだりして作業ができないこともある。
【発明の開示】
【発明が解決しようとする課題】
【０００３】  上述のごとく高所にして足場の悪い場所での作業は非常に危険であり、安全衛生上好ましくない。また悪天候で作業ができなければ工期が遅れるという問題もある。このような危険な作業を回避し、悪天候でも工期が遅れることのない方法を考案しなければならない。
【課題を解決するための手段】
【０００４】  本発明者は鋭意研究した結果、安全にして簡潔な鉄筋のマーキング法を確立することに成功した。【０００５】  以下、本発明を図に従い詳しく説明する。
本発明の最大の要点は、鉄筋のマーキング作業をこの鉄筋を現場の所定の場所に取り付ける前に予め鉄筋取付業者の加工場や建築現場内の平地で行なうことである。これにより作業者は危険な作業環境から解放され、残る課題は鉄筋に対するマーキングを効率よく且つ正確に行なうことである。
図１は鉄筋に効率よく且つ正確にマーキングするための治具のイメージ図である。ここで符号１は治具本体で一度に数十本の鉄筋をセットできる巾を持ち、その巾の両端はセットした鉄筋を符号２のスリッドに対して直角に収めるために、また並べた鉄筋が転がらないようにコの字に折れ曲がっている。治具本体の長さは通常マーキングを施そうとする鉄筋の長さに合わせて造る。またその材質は、取扱い易くするために軽量化する必要があるので薄肉鋼板とする。そして符号２のスリッドのピッチはマーキングを施す鉄筋に直交して取り付ける鉄筋のピッチに合わせる。したがって例えば壁筋の場合ならスリッドのピッチは１５０ｍｍ又は２００ｍｍとするのが一般的である。
図２はこの治具を使ってマーキングしているイメージ図である。ここで符号３は通称カラースプレーと呼ばれている噴霧式のペンキである。この結果治具に収められた符号４の鉄筋にはスリッドと同じ巾のペンキによるマーキングが成される。このスリッドの巾は５〜１０ｍｍ位が適当である。このように色付けにペンキを使うことにより石筆のように雨で洗われてしまう様なことはない。
【発明の効果】
【０００６】  上述鉄筋ピッチ出し治具の重さはおよそ２０Ｋｇで、１人の作業者で楽に取り扱うことができる。またカラースプレーにより鉄筋に色付けされるマークの巾は本ピッチ出し治具のスリッドの巾よりやや狭くなるが、鮮明で充分に確認することができる。また十数本のスリッドすべてにカラースプレーで噴霧するのに要する時間は約一分しか掛からず非常に効率が良い。
【実施例】
【０００７】  本発明による試作品としてＤ１３、長さ３ｍの異形鉄筋２０本を一度にマーキングできるものを製作した。したがってこの試作品の長さは３ｍ、巾はＤ１３の異形鉄筋２０本を並べた時の２８０ｍｍ、両端の折り曲げ長さは鉄筋径よりやや大きい１５ｍｍとし、スリッドの巾は５ｍｍでそのピッチは２００ｍｍ、またその数は１５本で加工した。薄肉鋼板は厚さ０．３ｍｍのものを使用し、鉄筋への色付けには黄色のカラースプレーを使用した。
【図面の簡単な説明】
【０００８】
【図１】本発明品のイメージ図。
【図２】本発明品を使用して鉄筋にマーキングしているイメージ図。
【符号の説明】
【０００９】１，  鉄筋ピッチ出し治具
２，  スリッド
３，  カラースプレー
４，  異形鉄筋
【図１】
2005030172.tif 000003
【図２】
2005030172.tif 000004
(57)【要約】【課題】  障子糊を使用しないため、障子紙の取扱いを気にすることなく、押えて留めるだけで、短時間で簡単に張り替え出来ることを提供する．【解決手段】  横外枠（１ａ）縦外枠（１ｂ）の内側に表桟（２）はめ込み式の、裏桟（３ａ）（３ｂ）を設け間に障子紙をはさみ  ビス（４）で固定することを、特徴とする．【選択図】      図４
2005030173.tif 000002
【特許請求の範囲】
【請求項１】
障子外枠（１ａ）（１ｂ）の内側に表桟（２）を固定して設け、障子外枠（１ａ）（１ｂ）内側に表桟（２）に重ねてはめ込み式の裏桟（３ａ）（３ｂ）を設け、表桟（２）と裏桟（３ａ）（３ｂ）間に障子紙をはさみ裏桟（３ａ）（３ｂ）をビス（４）で固定する糊を使わず張り替え出来る障子
【発明の詳細な説明】
【発明の詳細な説明】
【技術分野】
【０００１】この発明は糊を使用せず障子紙を張り替えられる障子であって、障子紙を押えて留めるだけで簡単に張り替え出来る障子に関するものである。
【背景技術】
【０００２】従来障子を張り替えるときは障子の桟から水で障子紙をはがして、桟が乾いてから障子紙を糊で張って、糊が乾くのを待たなければならなかった。
【発明が解決しようとする課題】
【０００３】イ．障子紙をはがすとき、水を使用するためスペースを必要である．
ロ．木製の障子は水でシミになるため、取扱いに注意を要する．
ハ．障子紙は、糊がついたりぬれると扱いにくくなり張り直しも出来ない．
ニ．障子の張り替えは手数と時間を必要とする．
本発明は以上の問題点を解決するためになされたものである．
【課題を解決するための手段】
【０００４】障子外枠（１ａ）（１ｂ）の内側に表桟（２）を固定して設ける．
障子外枠（１ａ）（１ｂ）内側に表桟（２）に重ねてはめ込み式の裏桟（３ａ）（３ｂ）を設ける．表桟（２）と裏桟（３ａ）（３ｂ）の間に障子紙をはさみ込みビス（４）で固定する．
本発明は以上の構成よりなる
【発明の実施の形態を説明する】
【０００５】イ．横外枠（１ａ）と縦外枠（１ｂ）で方形状に囲んでなる外枠（１ａ）（１ｂ）の内側に、マス目状の格子からなる表桟（２）を一体化して固定する．
ロ．外枠（１ａ）（１ｂ）の内側縁の周囲にパッキン（５）を設ける．
ハ．外枠（１ａ）（１ｂ）の内側の表桟（２）に重ね合わせる裏桟（３ａ）（３ｂ）を着脱自在に設ける．
ニ．表桟（２）と裏桟（３ａ）（３ｂ）をビス（４）で固定するための穴を、適宜個所に設ける．
ホ．外枠（１ａ）（１ｂ）の内側にパッキン（５）を設けているため、障子紙を固定出来る．
ヘ．裏桟（３ａ）（３ｂ）は表桟（２）の半分の大きさであり表桟の上下に合せてはめ込まれる．
本発明は以上の構成よりなり以下のように使用する
障子の外枠（１ａ）（１ｂ）を表桟（２）の内側が上を向くように床に水平に置きその上に障子紙を広げて被せ裏桟（３ａ）（３ｂ）で障子紙を押えビス（４）でとめる．はみ出た障子紙はカッターで外枠にそって切り取る．
【発明の効果】
【０００６】本発明は障子紙の張り替えに水や糊を使用しないために、障子紙の張り替えを簡単に早くでき、また障子枠を汚したり損傷したりすることがない。
【図面の簡単な説明】
【図１】本発明の前面斜視図
【図２】本発明の裏面斜視図
【図３】本発明の一部断面斜視図
【図４】本発明の一部断面を示す分解斜視図
【符号の説明】
１ａ．    横外枠
１ｂ．    縦外枠
２．      表桟
３ａ．    裏桟
３ｂ．    裏桟
４．      ビス
５．      パッキン
６．      ビス穴
【図１】
2005030173.tif 000003
【図２】
2005030173.tif 000004
【図３】
2005030173.tif 000005
【図４】
2005030173.tif 000006
(57)【要約】【課題】一般の玄関ドア使用されるサムターン（内鍵）は、外部からドリル等で穴を開けて器具を使いサムターンのノブを回し、簡単に鍵を開けるというサムターン回しによる犯罪が多いのが実状である。通常の開閉機能を損なわずに、サムターン回しによる犯罪を防止出来ないかが、課題であった。【解決手段】従来のサムターンノブに半球形状の硬質ゴム製で出来たサムターンノブカバーを装着する。表面は滑らかな物でもザラつきのあるものでも良い。【選択図】図１
2005030179.tif 000002
【特許請求の範囲】
【請求項１】
サムターンノブに半球状のゴムノブの設置を特徴とするサムターンノブカバー。
【請求項２】
前記サムターン回し防止器具は、透明色のゴムを材質に用い透視性を良くし、機能性を損なうことなしに、サムターン回し等を防ぐことを特徴とする請求項１記載のサムターンノブカバー。
【発明の詳細な説明】
【技術分野】
【０００１】  この発明は、玄関ドアのサムターン（内側鍵）回しを未然に防ぐサムターンノブカバーに関する。
【背景技術】
【０００２】  従来の一般的な玄関ドアに用いられているサムターンの形状は、図３に示すようにＩ形状であり、外部からの器具等の侵入によって簡単に回されてしまうものです。
【発明の開示】
【発明が解決しようとする課題】
【０００３】しかしながら、以上の技術によれば、外部からの器具等の侵入により、サムターンが簡単に回るので防犯性に優れていなかった。
そこで、この発明は、サムターンノブに半球状のゴムカバーが装着することにより、外部からの器具等の侵入により簡単に回らないようにすること、かつ開閉の機能を損なわない様に鍵の開閉が簡単にできることから、透視性が良い、滑らない透明のゴム等の材質を用いたサムターンノブカバーを提供することを課題とする。
【課題を解決するための手段】
【０００４】  以上の課題を解決するために、第一発明は、サムターンノブに半球状のカバーを装着することを特徴とするサムターンノブカバーである。
また、第二発明は、透明のゴム等の材質を用いることを特徴とするサムターンノブカバーである。
【発明の効果】
【０００５】  第一発明、または第二発明によれば、サムターンノブに半球状のゴム製のカバーを用いる事により、外部からの器具等により簡単に回らないように出来、防犯性が高くなり、かつ機能性も損なわれない。
【発明を実施するための最良の形態】
【０００６】  この発明の一実施形態を、図１、２に示す。
サムターンカバーの本体１は硬質ゴム製であり、この本体の形状は半球である。本体１の裏面２に、一般的なサムターンノブにフィットするようにカットしてある。
【実施形態の効果】
【０００７】  この実施形態によれば、半球形状のノブカバーにすることにより、外部からの器具等では回しにくくなるのでサムターン回しなどからの予防に繋がる。通常の機能面では手にフィットしやすい硬質のゴム製であり回し易い。本体を透明にする事により、鍵の開閉が目視しやすく機能的に損傷はない。
【他の実施形態】
【０００８】  図１の実施形態では、本体１の表面は、硬質ゴムなのでザラつきのない滑らかな形状であったが、他の実施形態では、表面を滑り止めのような形状に設けたものでも良い。
【図面の簡単な説明】
【０００９】
【図１】この発明の一実施形態を示す側面図である。
【図２】この発明の裏側から見た図である。
【図３】従来技術のみで、この発明の未実施形態を示す斜視図である。
【符号の説明】
【００１０】１  サムターンノブカバー本体
２  サムターンに装着できるような凹形状
３  一般の玄関ドアのサムターン
【図１】
2005030179.tif 000003
【図２】
2005030179.tif 000004
【図３】
2005030179.tif 000005
(57)【要約】【課題】二輪車の盗難防止の鍵は、ワイヤーとか金属をループ状にして、タイヤに鎖交させることで車輪をロックして動かなくする。ところが、原付といわれる二輪車などはタイヤの径がたいへん小さく、施錠するときしゃがんだりして、たいへん施錠しづらい。また、既存の鍵はタイヤのホイールやスポークの間隙に挿入する作業が不便である。【解決手段】上記課題を解決するためには、ループを形成するのに鍵を２カ所に設けて、ループを二つの部品に分ける。一方は金属棒をコの字型に加工し、その両端には雌側の鍵を取り付ける。もう一方端は直線の金属棒で、その両端に雄側の鍵を設置する。また、コの字型の両端の鍵は可動とし、コの字型部を含む平面内で直線部の棒が回転しホイールやスポークの間隙を通り抜けるようにする。【選択図】  図２
2005030178.tif 000002
【特許請求の範囲】
【請求項１】
錠前を２つ付ける構造  一般的に二輪車の車輪ロック装置類はタイヤと鍵が鎖交することにより成り立っている。そして、ループを閉じるため錠前がついている。そこで従来のロック装置と異なり、ループを２つの部分に分けて、それぞれをコの字型と直線棒の形で構成する。そして、通常１箇所しかない錠前の部分を２箇所もうける。具体的にはコの字型の両端に錠前の雌側を取り付けて、直線棒の両端に錠前の雄側をとりつける。
【請求項２】
直線棒が可動となる構造  コの字型部の両端の雌側の錠前がコの字を含む平面内で回転可動とする。これにより、片方のみロックした状態で、直線棒部分がコの字を含む平面内で回転可動となる構造とする。
【発明の詳細な説明】
【発明の詳細な説明】
【発明が解決しようとする課題】
【０００１】  自動二輪車、自転車などは盗難防止のための鍵が利用されているが、既存の鍵は機能性では問題ない。しかし、脱着については便利といえるものではない。特に原付バイクは車輪が小さいため、腰をかがめなければ脱着できないため無理な姿勢をとらざるを得ない。通勤など毎日利用するにはたいへん苦痛である。よって、より簡単に脱着できるようにする。
【課題を解決するための手段】
【０００２】  上記課題を解決するためには、その車輪ロック装置を２つの部分に分け、一方は金属の棒をコ字型にしたもので、錠前の雌側を各々の両端に取付ける。また、車輪ロック装置のもう一方は直線の金属棒にの両端に鍵の雄側を取り付ける。  この装置の使い方は、Ｌ字型部分の長い部分の先端を持ち、短い部分を車輪のホイールの間隙に通し、もう一方の直線の棒を持ち、Ｌ字型の短部の先端にある雌側の鍵穴に挿入してロックする。  また、取り外すときは、回転軸側の錠前を解錠し、直線部分をそのまま引き抜くことにより車輪ロック装置を取り外す。このときコの字型の雌側の錠前は回転する構造なので、コの字型部分と直線状態になりホイールを通り抜けるようにしている。
【発明の効果】
【０００３】  既存の車輪ロック用の鍵類は一カ所しか鍵がないため施錠も解錠もしゃがんだり不自然な姿勢で操作をしなければならないが、当該装置は２カ所に鍵を設けているうえに、さらにこの装置の長さも車体の高さ程度にすることにより施錠は下の鍵、解錠は上の鍵で行うことにより立ったまま操作できる。これにより、二輪車の盗難防止用の車輪のロック装置の脱着はたいへん高速かつ簡便となる。特に腰や膝を殆ど曲げることなく立ったままの姿勢で脱着が可能であり、毎日の通勤や買い物など頻繁に二輪車を利用する人々に施錠の労苦が軽減され大変な朗報となる。特に高齢者、女性、肥満体の人々には最適である。さらに、鍵の脱着が容易になれば、施錠を行う人が増加し盗難の防止促進にもなる。
【図面の簡単な説明】
【図１】本装置の外観図
【図２】施錠するときの状態
【図３】開錠するときの状態
【図４】実際に車輪に使用している状態（施錠している状態）
【図５】実際に車輪に使用している状態（施錠終了している状態）
【図６】実際に車輪に使用している状態（開錠している状態）
【図７】雌側の錠前が回転する機構図
【符号の説明図】
１  錠前２  錠前３  錠前の雌側で回転する。４  雄側の錠前５  鋼鉄などの金属の棒６  雄側の錠前７  車輪８  雌側の錠前９  回転軸
【図１】
2005030178.tif 000003
【図２】
2005030178.tif 000004
【図３】
2005030178.tif 000005
【図４】
2005030178.tif 000006
【図５】
2005030178.tif 000007
【図６】
2005030178.tif 000008
【図７】
2005030178.tif 000009
(57)【要約】【課題】従来の４畳半、６畳の部屋はベット、フトンで大半が占有されていた。【解決手段】従来の押し入れ部分を、たて、よこに２０ｃｍ程広げ風通しのいいように組んだスノコをおき、これをベットルームにすればせまい部屋が有効につかえる．フトンの扱いも楽になりソファーとしても、大型収納としてもつかえる。【選択図】図１
2005030192.tif 000002
【特許請求の範囲】
【請求項１】
従来の押し入れ部分をたてよこ２０ｃｍ程長くして風通しの良いスノコをそなえたベッドルーム。
【発明の詳細な説明】
【技術分野】
【０００１】本発明は、４畳半、６畳の部屋を有効につかう事に関する。
【背景技術】
【０００２】従来の４畳半６畳の部屋は、ベット、フトンで半分占有されていた。
【発明の開示】
【発明が解決しょうとする課題】
【０００３】以上のように従来の部屋は、ベット等に占有されていた。
【課題を解決するための手段】
【０００４】従来の押し入れ部を広げベットルームを設ける。
【０００５】湿気対策にスノコを、設ける、風通し良く組んだもの。
【０００６】従来の押し入れ、１７０×８５ｃｍのものではなく、１０５×２００ｃｍ程のスペースがあればシングルサイズのフトンが入り、部屋をそのまま使える。
【０００７】スノコがあればフトンの上げ下げがいらない。
【発明の効果】
【０００８】以上のように本発明は押し入れ部分を、たて横２０ｃｍ程のばしただけで、せまい部屋を広く使える、ワンルームぐらし、新生活者等に有利である。またソファーとしても、大きめの収納としての機能もある。
【発明を実施するための最良の形態】
【０００９】以下、本発明の形態を図１に基づいて説明する。【００１０】図においては１０５×２００ｃｍ程のベットルームにスノコをおいたものである。【００１１】スノコの組み方は▲１▼のたてか上▲２▼のよこが下である．そして、▲３▼のカベ側部分は図のように数センチあけて組むのであるそうすることによりフトンが湿気等からまもれる．ベットの高さは、ソファー程の高さが良い、天井はあまりへいそくかんのない高さが良い。スノコは２分割、３分割の組立て式でもよい。
【図面の簡単な説明】
【００１２】
【図１】スノコを置いたベッドルームを上から見たものである。
【符合の説明】
【００１３】▲１▼スノコのたて。
▲２▼スノコのヨコ。
▲３▼カベ側のすき間。
【図１】
2005030192.tif 000003
(57)【要約】【目的】  流し台を使用する作業において、それぞれの作業又は使用場所に依って必要となった部材を簡単に取り付けを行う事が出来る流し台を提供する。【構成】  流し台の縁を、多孔等のあいた縁材（２）で囲った流し台。【効果】  それぞれの作業又は使用場所に依って必要となった部材を簡単に取り付けを行う事が出来る。【選択図】  図２
2005030184.tif 000002
【特許請求の範囲】
【請求項１】
流し台の縁を多孔又は長穴又は切欠き等の形状の材料（２）を使用した流し台。
【請求項２】
請求項１の流し台において、（２）の材料の多孔等を利用して、蛇口取付金物（３）タオル掛け（４）日除け用フレーム（６）作業台（７）等を取り付けた多目的流し台。
【発明の詳細な説明】
【発明の詳細な説明】
【産業上の利用分野】
【０００１】  この発明は屋外や工場等で使用する流し台に関するものである。
【背景技術】
【０００２】  従来の流し台は、洗ったものを干したり又屋外で使用するのに日除けや雨除け等を付けたり又蛇口を取り付けたりする為に、新たに色々な加工を要していた。
【発明が解決しようとする課題】
【０００３】  本発明はその要な新たな加工をしないで、蛇口や日除け等を取り付けるものである。
【課題を解決するための手段】
【０００４】  本発明では、流し台の縁を切欠き又は穴等を明けた材料（２）で囲う事に依ってその目的を達するものである。
【作用】
【０００５】  新たに取付け様とする物は、流し台の縁の穴、切欠き等を利用して取付を行う。
【実施例】
【０００６】実施例１  タオル掛け（４）で説明すると、タオル掛け（４）の下部にベース板を設けて、流し台の穴又は切欠き等のピッチに合わせた取付穴を明けその穴を利用してボルトで固定する。又固定方法としては、パッチン錠、ピン、蝶番、マジックテープ、マグネット、スプリング等、取り付ける物に合わせて色々と選ぶ事が出来る。
【発明の効果】
【０００７】  本発明の多目的流し台を使う事により、それぞれの作業又は使用場所に依って必要となった部材を簡単に取り付けを行う事が出来る様になります。
【図面の簡単な説明】
【図１】本発明の流し台で、蛇口（３）とタオル掛け（４）を取り付けた図。
【図２】本発明の流し台で、日除け用のフレームを取り付けた図。
【符号の説明】
１  流し台
２  多孔等のあいた縁材
３  蛇口の取付金物
４  タオル掛け
５  水切り台
６  日除け用フレーム
７  作業台
８  日除けカバー
【図１】
2005030184.tif 000003
【図２】
2005030184.tif 000004
(57)【要約】【課題】ポール等を埋設する際、従来の機械では柄が２本ありその柄を開閉するこによって掘削していたが、掘削が深くなるにつれて柄が十分に開くことが出来ず、柄が開く所まで上部の土を除去しなければならず余分な時間と労力を費やしてきた。【解決手段】柄を１本にし、その上部に上下レバー１とハンドル７を設けた。柄１２を持ちスコップの先端Ａを掘削したい所に突刺す。次にハンドル７を持って水平回転した後上下レバー１を押し下げ支点２〜６介し両刃スコップ４で土をはさみそのまま本体を穴から取出し土を排出する。ハンドル７は取り外しが出来はめ替えナット８に取り付けられるので狭い掘削場所でも施工できるようにした。こうした構造にしたことによって様々な業種（水道工事・ガス工事・電気工事・造園工事・農作業）にも対応することができる。【選択図】図−１
2005030190.tif 000002
【特許請求の範囲】
【請求項１】
柄を１本にし，狭い掘削場所でも施工できることを特徴とする手動穴掘り機である。
【請求項２】
柄を１本にして、柄の上部に上下レバーを設けその上下レバーを動かすことによって両刃スコップが可動することを特徴とする請求項１記載の手動穴掘り機である。
【発明の詳細な説明】
【技術分野】
【技術分野】
【０００１】  本発明は、柄を１本にして深い穴でも容易に掘削できる道具に関する。
【背景技術】
【０００２】  従来のボール等を掘削する道具は図３に示すように、柄１と両刃スコップ２からなり、柄１を両手で持ち両刃スコップ２の先端Ａを掘削したい地面に突刺す。柄１を水平方向に回し柄１を外側に広げ両刃スコップ２をはさみこんで土を排出する道具である。
【発明の開示】
【発明が解決しようとする課題】
【０００３】  しかしながら、以上の従来技術によれば掘削深が深くなるにつれて、柄１が十分に外に開くことが出来ず、両刃スコップ２が閉じることが出来ない為、土を排出する事が困難であった。
そこで、この発明は、掘削深が深くなっても、容易に掘削することが出来る道具を提供することを課題とする。
【課題を解決するための手段】
【０００４】  以上の課題を解決するために、第１発明は、柄を１本にし，狭い掘削場所でも施工することができることを特徴とする手動穴掘り機である。
また、第２発明は、柄を１本にし，柄の上部に上下レバーを設け上下レバーを動かすことによって両刃スコップが可動することを特徴とする手動穴掘り機である。
【発明の効果】
【０００５】    第１発明、第２発明によれば、柄を１本にして柄の上部の上下レバーを動かすことで掘削できるので狭い掘削場所でも施工できる。
【発明を実施するための最良の形態】
【０００６】  以下、本発明の実施形態を図−１・２に基づいて説明する。【０００７】  小スペース掘削機の本体はスチール製であり、上下レバー１とハンドル７は滑り防止の為にゴム製のグリップを設けてある。この道具の使い方は、柄１２を持ち、掘削したい場所にスコップの先端Ａを突刺し、ハンドル７を持ち水平回転して掘削したい部分と在来土との縁を切って土を排出しやすいようにする。次に上下レバー１を押し下げ、支点２・３を介し柄１２の内部の連結棒１３に力が伝わり支点５が上部に引き上げられ支点６と溶接してある両刃スコップ４が閉じ排出したい土をはさむ。土をはさんだ状態で本体を掘削した穴から取出し土を排出する。両刃スコップ４上部についてある開口補助バネ９は上下レバー１を押し上げることなく自動的に両刃スコップ４が開くように施してある。両刃スコップ４の交わるセンターボルト１１だけでは、回転力に耐えられるだけの強度がないのでねじれ防止補強材１０を設けた。また、柄１２の上部に付いているはめ替えナット８の部分は狭い掘削場所でも施工できるように、ハンドル７のネジを緩めてはめ替えナット８に取り付け出来るようにしてある。
【実施形態の効果】
【０００８】  この実施形態によれば、柄１２を１本にし上下レバー１を作動することで深い穴でも上部の土が落ちることなく掘れる。したがって、時間と労力を短縮できる。
【他の実施携帯】
【０００９】  図−１・２の実施形態では、柄１２を１本にし上下レバー１を作動して土を排出する構造であったが、他の実施形態では、図−３の柄１部分の途中に支点を設けて、柄を閉じると土がはさむような構造でも良い。
【図面の簡単な説明】
【００１０】
【図−１】
この発明の一実施形態を示す平面図である。
【図−２】
この発明の一実施形態を示す斜視図である。
【図−３】
従来技術を示す平面図である。
【符号の説明】
【００１１】図−１・２
１  上下レバー    ２  支点        ３  支点        ４  両刃スコップ
５  支点          ６  支点        ７  ハンドル    ８  はめ替えナット
９  開口補助バネ  １０  ねじれ防止補強材  １１  センターボルト
１２  柄          １３  連結棒
図−３
１  柄                ２  両刃スコップ
【図−１】
2005030190.tif 000003
【図−２】
2005030190.tif 000004
【図−３】
2005030190.tif 000005
(57)【要約】【課題】従来のシャッターまたは、ドアーに設置されているシリンダー鎌錠式鍵の開閉は、人がカギを使用して開閉しなければならず、無人の建物内で火災が発生した場合、かぎが開けられず消火活動に支障をきたしたケースが報告されている。【解決手段】消防法で規定されている既存の煙感知器と、シャッターまたは、ドアー用のシリンダー鎌錠式鍵を電気配線で連結し、火災発生時に生じる煙を煙感知器が感知した時に発生する電流が電気配線を伝わりマグネットスイッチが作動し鍵を解錠状態にする。また、煙発生時に流れ続けている電流は、煙が発生しなくなった時には流れなくなる為、再度施錠状態に戻る。【選択図】図１
2005030181.tif 000002
【特許請求の範囲】
【請求項１】
消防法で規定されている既存の煙感知器と、シャッターまたは、ドアー用のシリンダー鎌錠式鍵、ならびにマグネットスイッチを電気配線で連結し、火災発生時に生じる煙を煙感知器が感知した時に発生する電流が電気配線を伝わりマグネットスイッチの作動で鍵を解錠し、煙が発生しなくなった時には、再度施錠するシステム。
【請求項２】
消防法で規定されている既存の煙感知器から発生する電流の発生、停止により、スイッチが作動し、施解錠するマグネットスイッチ付きシリンダー鎌錠式鍵。
【発明の詳細な説明】
【技術分野】
【０００１】  本発明は、店舗用シャッター並びにドアーにシリンダー鎌錠式鍵を使用している場合の火災発生時に於ける施解錠に関する。
【発明の開示】
【発明が解決しようとする課題】
【０００２】  現在店舗用シャッター並びにドアーに設置されているシリンダー鎌錠式鍵の施解錠は人がカギを使用して行っていた為、無人状態の室内で火災が発生した場合、カギがない為にシャッター、ドアーを破壊して内部の消火をしていた為、初期消火までの時間がかかっていた。また、消火後の防犯対策は不完全だった。【０００３】  本発明は、従来の火災発生時の施錠状態の問題を解決しようとするものであり、火災発生時の早期消火活動を容易にする目的を持ち、また、煙の発生が停止した際には、再度施錠をし、火災消火後の防犯をも目的としたものである。
【課題を解決するための手段】
【０００４】  本発明は、上記目的を達成する為に、消防法で規定されているあらゆる既存の煙感知器と、シャッターまたは、ドアーに設置されている全ての種類のシリンダー鎌錠式鍵を電気配線で連結し、煙感知器とシリンダー鎌錠式鍵を一体化する構成としたものである。【０００５】  また、シリンダー鎌錠式鍵が、煙感知器からの指示を受け、自動的に施解錠する様に、鍵本体付近にマグネットスイッチを配置する構造としたものである。【０００６】  上記の煙感知器とシリンダー鎌錠式鍵の作動は、次の通りである。火災発生時に生じる煙を煙感知器が感知した直後に発生する電流（ＤＶ２４Ｖ）が連結した電気配線を伝わり、マグネットスイッチが作動し、鍵受けプレートを引きあげ、解錠状態にする。また、煙感知器は、煙を感知している間は電流が流れており、煙が発生しなくなった時には電流が停止するため、電流が停止した際には、マグネットスイッチは作動を停し、鍵受けプレートは元の状態に戻る為、再度施錠状態に戻る。【０００７】  上記の作用は次の通りである。即ち無人の建築物内で火災が発生した際には、煙感知器が作動し、出入口のシャッターまたはドアーを解錠する為、早期に消火活動が開始できる。また、火災鎮火後、または火災発生でない煙の発生等で煙の発生が停止した場合には、再度施錠し防犯対策が可能となる。
【発明の効果】
【０００８】  上述したように本発明のマグネットスイッチ付きシリンダー鎌錠式鍵と煙感知器を連動させる構成と、マグネットスイッチ付きシリンダー鎌錠式鍵は、無人の店舗、建築物における火災発生時にはシャッターまたはドアーの解錠が可能となり、早期消火活動に貢献できる構成と、マグネットスイッチ付きシリンダー鎌錠式鍵を提供できる。【０００９】  また、再度電流の停止で施錠可能な為、防犯対策も可能な構成とマグネットスイッチ付きシリンダー鎌錠式鍵を提供できる。
【発明の実施するための最良の形態】
【００１０】  以下、本発明の実施の形態を図１〜１０に基づいて説明する。
【００１１】  図においては、１は鍵を施解錠するマグネットスイッチで、鍵受けプレート４、煙感知器５、電気配線６、戸当たり８。戸当たり８に設置されたマグネットスイッチ１は、鍵受けプレート４に接続し、煙感知器５と電気配線６で連結されいる。
【００１２】  マグネットスイッチ１は、コイル９と中心に芯棒１０で構成し、芯棒１０が鍵受けプレート４に接続している。
【００１３】  また、２は鎌錠で、カマチ７に設置された鎌錠本体３の内部部品。
【００１４】  以下、上記構成の動作を説明する。火災発生時に伴う煙が発生した場合、煙感知器５が、煙の発生を感知し発報する。発報と同時に電流が流れ、電気配線６を伝わりマグネットスイッチ１に通電する。マグネットスイッチ１の内部に配置されたコイル９が作動し、中心の芯棒１０を引きあげ、マグネットスイッチ１に接続している鍵受けプレート４を引きあげ、解錠状態になる。
【００１５】  また、煙感知器５は、煙を感知している間は電流を発しているが、煙の感知が終了した場合は、電流も同時に停止する。その為、マグネットスイッチ１への通電が停止し、内部に配置され引き上げられていた芯棒１０が下がり、芯棒１０に接続された鍵受けプレート４も元に戻り、施錠状態になる。
【図面の簡単な説明】
【００１６】
【図１】本発明の全体を示す構成図
【図２】かぎによる解錠状態を示す鎌錠本体図
【図３】本発明のマグネットスイッチと鍵受けプレート接続図
【図４】同マグネットスイッチの図２におけるＡ−Ａ線断面図
【図５】同マグネットスイッチの図２におけるＢ−Ｂ線断面図
【図６】同マグネットスイッチによる施錠状態図
【図７】同マグネットスイッチによる解錠状態図
【図８】シリンダー鎌錠式鍵と、鍵受けプレートならびにマグネットスイッチ設置場所を示す図７におけるＣ−Ｃ断面図）
【符号の説明】
【００１７】  １  マグネットスイッチ
２  鎌錠
４  鍵受けプレート
９  コイル
１０  芯棒
【図１】
2005030181.tif 000003
【図２】
2005030181.tif 000004
【図３】
2005030181.tif 000005
【図４】
2005030181.tif 000006
【図５】
2005030181.tif 000007
【図６】
2005030181.tif 000008
【図７】
2005030181.tif 000009
【図８】
2005030181.tif 000010
(57)【要約】【課題】  壁の耐震力不足にワイヤーを利用した耐震筋交い補強金具を提供する。【解決手段】  丸環ボルト（３）と台座（１）につけたネジ受け（２）で合対するようにし引き張り強度を出せる事を特徴とする。【選択図】  図１
2005030189.tif 000002
【特許請求の範囲】
【請求項１】
板状の台座（１）と、この台座の対向する位置にそれぞれ設けられた一対のネジ受け（２）と、各ネジ受けに外側から挿入しネジで位置調整可能な丸環ボルト（３）と、各ボルトをしめる座金（５）やナット（７）などの締め具とよりなる耐震筋交い補強金具。
【発明の詳細な説明】
【発明の詳細な説明】
【技術分野】
【０００１】この発明は既存の住宅の壁の筋交いに補強的にワイヤーを使用し四隅より交差する箇所に引っ張り簡単な作業で引っ張り強度を増すことが出来るようにした耐震筋交い補強金具に関するものである。
【背景技術】
【０００２】従来壁の筋交いは建物建築時において壁内部に設置し外部より見えないようにしていた。
【発明が解決しようとする課題】
【０００３】そのために次ぎのような問題点があった。
（イ）筋交いの材質により劣化が起こる。
（ロ）筋交いの取り付け方により強度が弱まっている事がある。
（ハ）壁内部の取り付けのため強度の調整ができない。
本発明は以上の問題点を解決するためになされたものである。
【課題を解決するための手段】
【０００４】台座（１）に付いているネジ受け（２）に丸環ボルト（３）を上下相対するように差し込み丸座金（５）・スプリング座金（６）・ナット（７）にて固定しワイヤー（４）を丸環部分に通しワイヤー固定金具（８）に固定する。
本発明は以上の構成によりなる耐震筋交い補強金具である。
【発明を実施するための最良の形態】
【０００５】以下本発明の実施の形態を説明をする。
本発明は図１から図３に示すように、長方形の台座（１）の上下端にそれぞれ対向する位置にネジ受け（２）が設けられている。この台座およびネジ受けに関しては強度のある鉄等が好ましく、溶接にて固定されている。
また、このそれぞれのネジ受けに螺合する丸環ボルト（３）が利用され、これを任意位置で固定するために、図にしめすようにそれぞれ丸座金（５）、スプリング座金（６）、ナット（７）が設けられている。
（イ）台座（１）の上下相対するようにネジ受け（２）を二つ設ける。
（ロ）台座（１）に取り付けたネジ受け（２）に丸環ボルト（３）のボルト部分を通し丸座（５）・スプリング座金（６）・ナット（７）をセットする。
（ハ）丸環ボルト（３）の環の部分にワイヤーを通す。
（ニ）ワイヤー（４）の端を壁の四隅に取り付けられるようにする。
本発明は以上の構成よりなっている。
本発明を使用するときは既存の建物の壁面の四隅にワイヤー固定金具（８）を取り付けワイヤー（４）を引き掛けワイヤーを交差するように引き張り交差する箇所にてワイヤーを通し丸環ボルト（３）を使用し台座（１）に両方向より引き寄せられるようにし丸環ボルトのナット（７）部分を回すことで強度の調整ができる。
又壁の仕上げに合わせて化粧カバーを取り付ける事によりインテリア感覚に仕上げる事もできる。
【発明の効果】
【０００６】本発明を使用することによって現在住んでいる住宅の壁の耐震力を壁を傷つけず日曜大工程度の作業でする事ができる。
【図面の簡単な説明】
【図１】本発明の斜視図
【図２】本発明の分解斜視図
【図３】本発明の使用状態を示す斜視図
【符号の説明】
（１）台座
（２）ネジ受け
（３）丸環ボルト
（４）ワイヤー
（５）丸座金
（６）スプリング座金
（７）ナット
（８）ワイヤー固定金具
【図１】
2005030189.tif 000003
【図２】
2005030189.tif 000004
【図３】
2005030189.tif 000005
(57)【要約】【課題】  比較的安価に済み有効に津波減衰が図れる津波減衰方法を提供すること。【解決手段】  海底などの海中に設置した高圧のエアーおよび／または水の吹き出し装置からエアーおよび／または水を津波の到来タイミングに同期して上向きに強制噴射して津波のもつ前進エネルギーを減衰させるようにする。【選択図】【特許請求の範囲】
【請求項１】
海底などの海中に設置した高圧のエアーおよび／または水の吹き出し装置からエアーおよび／または水を津波の到来タイミングに同期して上向きに強制噴射して津波のもつ前進エネルギーを減衰させるようにする津波減衰方法。
【請求項２】
請求項１記載の津波減衰方法において、吹き出し装置前段階に設置した高圧化装置に到来する津波によってエアーおよび／または水を高圧化し高圧化したエアーおよび／または水を吹き出し装置を通じて連鎖的に噴射させるようにする津波減衰方法。
【請求項３】
海底などの海中に設置した格納部から浮上減衰体の複数個を津波到来に合わせて発射・浮上させて津波を減衰させる津波減衰方法。
【発明の詳細な説明】
【技術分野】
【０００１】  この発明は、津波減衰方法に関する。
【背景技術】
【０００２】  古来から巨大地震が発生すると当然のように津波が発生し、この津波は海岸線から押し寄せて大勢の人や民家などを呑み込み甚大な被害を与えてきたことはよく知られている。
【発明の開示】
【発明が解決しようとする課題】
【０００３】  しかし、これまでは、大規模な堤防や水門を造って津波に対処するだけで、有効な津波対策は講じられていなかったのが現状である。
【課題を解決するための手段】
【０００４】  この発明は前記課題を解決するためになされたもので、請求項１記載の発明は、海底などの海中に設置した高圧のエアーおよび／または水の吹き出し装置からエアーおよび／または水を津波の到来タイミングに同期して上向きに強制噴射して津波のもつ前進エネルギーを減衰させるようにする。
請求項２記載の発明は、請求項１記載の津波減衰方法において、吹き出し装置前段階に設置した高圧化装置に到来する津波によってエアーおよび／または水を高圧化し高圧化したエアーおよび／または水を吹き出し装置を通じて連鎖的に噴射させるようにする。
請求項３記載の発明は、海底などの海中に設置した格納部から浮上減衰体の複数個を津波到来に合わせて発射・浮上させて津波を減衰させる。
【発明の効果】
【０００５】  この発明の津波減衰方法によれば、比較的安価に済み有効に津波減衰が図れる津波減衰方法を提供することができる。
【発明を実施するための最良の形態】
【０００６】  以下、津波減衰方法についての実施形態を詳細に説明する。
海底などの海中に、高圧のエアーおよび／または水の吹き出し装置を常設しておき、同装置に貯留しておいたエアーおよび／または水、または同装置に送り込んだエアーおよび／または水を、津波の到来タイミングに同期して上向きに強制噴射することで、津波のもつ前進エネルギーを減衰させるように構成する。
化装置を設置しておいて、津波到来に伴って、エアーおよび／または水を高圧化して前記噴射に連鎖させるように構成することもできる。【０００７】  前記津波を減衰させる他の実施態様として、浮上傾向のある、例えば巨大径の発泡スチロール球（浮上減衰体）の複数（多数を含む）個を格納部（水中）から発射・浮上させることもできる。この場合、金属球や樹脂球等を使用でき、また、浮上するものであれば内部に水を充填等しておいてもよい。浮上するものは、互いに連鎖させておくこともできる。球以外に六面立体やテトラポット形でもよい。【０００８】  尚、付加的な提案例であるが、津波や地震、洪水、火災などの不測の事態に遭うと思い出の写真やビデオなどを消失するのが常であり、そうした対策として、例えば、高知県のＡさんの貴重品を岡山県の２〜３箇所に設置した事前登録所にコンピュータ処理により登録して保管（現金については銀行とタイアップして保管）しておき、一定の登録料を支払うことで、不測の事態が発生しても必ず貴重品は安全に確保された状態をつくることができるようにする案をここに提案する。
(57)【要約】【課題】多角型のボックスを作るにあたって、低コストで容易に組み立てられ、尚且つ用途に合わせてボックス同士を連結したり、サイズや形状を変更したり、ボックス内に仕切りを入れられることを目的としたコーナー連結器具を提供する。【解決手段】多角型のボックスを作るにあたって、低コストでサイズや形状の変更を可能にするためにボード部分とコーナー連結器具部分に分け、コーナーには仕切りを入れられるようにボードとボードの間に隙間を設けた。ボックス同士を連結させたものを作るためには２パターンのコーナー連結器具を使用することにより解決した。【選択図】図４
2005030578.tif 000002
【特許請求の範囲】
【請求項１】
ボードに取り付けることにより多角型のボックスが作れるコーナー連結器具。
【請求項２】
ボードに取り付けることにより連結した多角型のボックスが作れるコーナー連結器具。
【請求項３】
前記のコーナー部分のボードとボードの間に隙間を作る事により仕切りが入れられる構造。
【発明の詳細な説明】
【発明の詳細な説明】
【技術分野】
【０００１】  本発明は、ボックスのコーナーの連結器具、特に多角型のボックスのコーナー連結器具に関する。
【背景技術】
【０００２】  従来多角型のボックスは金属であれば多角型に折り曲げたり、ハンダで接着したり、木材であれば刳り抜いたり、釘を使用したり、板同士がかみ合うように細工をしたりしている。
【発明が解決しようとする課題】
【０００３】  従来多角型のボックスを作る場合、金属であれば多角型に折り曲げたり、ハンダで接着したり、木材であれば刳り抜いたり、釘を使用したり、板同士がかみ合うように細工をしたりとコスト高であったり、高度な技術を要した。
【０００４】  その上、一度完成させてしまうとサイズを変更したり、ボックス内に仕切りを入れたり、ボックス同士を連結するのは困難であった。
【０００５】  本発明は、このような従来の問題を解決しようとするものであり、低コストで容易に組み立てられ、尚且つ用途に応じて形状を変更できるようにすることを目的とするものである。
【課題を解決するための手段】
【０００６】  上記の目的を達成するために、低コストでサイズや形状の変更を可能にするためには、ボード部分とコーナー連結器具部分に分けるとよい。
【０００７】  用途に応じてボックス内に仕切り等を入れられるようにするには、連結しているボードとボードのコーナー部分に隙間を設けるとよい。
【０００８】  ボックス同士を連結させるには、前記のコーナー連結器具とは別に、ボックス同士を連結させるためのコーナー連結器具を作ればよい。
【発明を実施するための最良の形態】
【０００９】  以下、本発明の実施の形態として一実施例を図１〜図５に基づいて説明する。【００１０】  図１は六角型用のコーナー連結器具ａの斜視図で、ボードの角とコーナー連結器具ａをボルト等と留め金をつけ固定する。図２は図１のコーナー連結器具ａを使用してできた六角型ボックスの一実施例の斜視図である。【００１１】  図３は六角型ボックス同士を連結するためのコーナー連結器具ｂの斜視図で、前記と同様にボードの角とコーナー連結器具ｂをボルト等と留め金をつけ固定する。図４は図１のコーナー連結器具ａと図３のコーナー連結器具ｂを使用してできた連結式六角型ボックスの一実施例の斜視図である。【００１２】  図５は六角型のボックスに仕切りボードを入れた一実施例の斜視図である。
【発明の効果】
【００１３】  本発明は、以上説明したように構成させているので、下記に記載されるような効果を奏する。
【００１４】  低コストで作ることが可能であるとともに容易に組み立てることが可能である。
【００１５】  また、用途に応じてボックス内に仕切りを入れることや、ボードの大きさを変えることでボックスのサイズや形状を変更することも可能である。
【図面の簡単な説明】
【図１】本発明の一実施例の六角型用コーナー連結器具ａの斜視図である。
【図２】本発明の六角型用コーナー連結器具ａを使用してできる一実施例の六角型ボックスの斜視図である。
【図３】本発明の一実施例の連結ボックスを作るための六角型用コーナー連結器具ｂの斜視図である。
【図４】本発明の六角型用コーナー連結器具ａと六角型用コーナーｂを使用してできる一実施例の連結式六角型ボックスの斜視図である。
【図５】本発明の一実施例の組み立てた六角型ボックスに仕切りを入れた場合の斜視図である。
【符号の説明】
１  コーナー連結器具ａ
２  ボルト等
３  留め金
４  ボード
５  コーナー連結器具ｂ
６  仕切りボード
【図１】
2005030578.tif 000003
【図２】
2005030578.tif 000004
【図３】
2005030578.tif 000005
【図４】
2005030578.tif 000006
【図５】
2005030578.tif 000007